【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
方法であって、
（ａ）水平に方向付けられた軸を有する、少なくとも１つの送信機を提供する工程と、
（ｂ）前記少なくとも１つの送信機を囲む導電性媒体に関連した周囲の電気パラメータおよび磁気パラメータの少なくとも１つを測定するために、前記少なくとも１つの送信機の下方に配置された少なくとも１つのセンサを提供する工程と、
（ｃ）選択波形を有する電気エネルギーを前記少なくとも１つの送信機に通過させる工程と、
（ｄ）前記通過させる工程（ｃ）の間に、前記測定された周囲の電気パラメータおよび磁気パラメータの少なくとも１つに比例する信号を前記少なくとも１つのセンサから受信する工程と
を備える地球物理学的方法。
【請求項２】
前記少なくとも１つの送信機は少なくとも１つのコイルであり、前記少なくとも１つのコイルは、同コイルの巻きが垂直に方向付けられ、かつ同コイルの磁気軸が水平に方向付けられた状態で配置され、前記少なくとも１つのコイルは水平な磁気双極子を提供し、前記少なくとも１つのコイルの主軸は水平に方向付けられ、前記少なくとも１つのコイルの前記巻きの平面は前記少なくとも１つのセンサによって画定される平面と同一平面上にある、請求項１に記載の方法。
【請求項３】
前記少なくとも１つの送信機は少なくとも１つのコイルであり、前記測定された周囲の電気パラメータおよび磁気パラメータの少なくとも１つは周囲の電気パラメータであり、前記電気パラメータは前記少なくとも１つのコイルの前記巻きに平行な電圧である、請求項１に記載の方法。
【請求項４】
前記測定された周囲の電気パラメータおよび磁気パラメータの少なくとも１つは周囲の磁気パラメータであり、前記磁気パラメータは磁場強度である、請求項１に記載の方法。
【請求項５】
前記少なくとも１つの送信機は少なくとも１つのコイルであり、前記導電性媒体は海であり、前記少なくとも１つの送信機は前記海の底に近接して配置され、前記少なくとも１つのセンサは前記送信機と前記海の底との間に配置され、工程（ｃ）によって生成される励起場の少なくとも一部は前記海の底へ向かって下方に方向付けられる、請求項１に記載の方法。
【請求項６】
前記少なくとも１つの送信機は少なくとも１つのコイルであり、前記少なくとも１つのコイルは一方が他方の上に配置される第１および第２のコイルを備え、前記少なくとも１つのセンサは前記第１および第２のコイルの双方の下方に配置され、前記第１および第２のコイルは異なる時間および異なる周波数の少なくとも１つにおいて前記電気エネルギーによって励起される、請求項１に記載の方法。
【請求項７】
前記少なくとも１つの送信機は少なくとも１つのコイルであり、前記少なくとも１つの送信機および前記少なくとも１つのセンサは共通の潜水作業船に搭載され、前記少なくとも１つのセンサは少なくとも１つの前記導電性媒体に関連した周囲の電気パラメータを測定するための第１のセンサおよび前記導電性媒体の関連した周囲の磁気パラメータを測定するための第２のセンサのうち少なくとも１つを備える、請求項１に記載の方法。
【請求項８】
前記少なくとも１つの送信機は少なくとも１つのコイルであり、
（ｅ）前記少なくとも１つのセンサから測定信号を受信する工程と、
（ｆ）第２のセンサから基準信号を受信する工程であって、前記基準信号が前記少なくとも１つの送信機を通過する前記電気エネルギーの大きさおよび位相を示す、工程と、
（ｇ）前記電気エネルギーの周波数における前記測定信号の大きさと前記測定信号の位相とを決定する工程と
をさらに備える、請求項１に記載の方法。
【請求項９】
前記少なくとも１つの送信機は少なくとも１つのコイルであり、
（ｅ）前記少なくとも１つのセンサから測定信号を受信する工程と、
（ｆ）第２のセンサから基準信号を受信する工程であって、前記基準信号が前記少なくとも１つの送信機を通過する前記電気エネルギーの大きさおよび位相を示す、工程と、
（ｇ）前記基準信号の正弦波成分および余弦波成分を生成する工程と、
（ｈ）前記正弦波成分を前記測定信号と混合して第１および第２の正弦波成分を有する第１の混合信号を提供する工程であって、前記第１の正弦波成分が前記基準信号と前記測定信号との周波数の差に等しい周波数を有し、前記第２の正弦波成分が前記基準信号と前記測定信号との周波数の和に等しい周波数を有する、工程と、
（ｉ）その後、前記第２の正弦波成分を除去する工程と、
（ｊ）前記余弦波成分を前記測定信号と混合して第１および第２の余弦波成分を有する第２の混合信号を提供する工程であって、前記第１の余弦波成分が前記基準信号と前記測定信号との周波数の差に等しい周波数を有し、前記第２の余弦波成分が前記基準信号と前記測定信号との周波数の和に等しい周波数を有する、工程と、
（ｋ）その後、前記第２の余弦波成分を除去する工程と、
（ｌ）第１および第２の値を決定する工程であって、前記第１の値が前記第１の正弦波成分の振幅と位相シフトとの積であり、前記第２の値が前記第１の余弦波成分の振幅と前記位相シフトとの積である、工程と、
（ｍ）前記第１および第２の値に基づいて前記測定信号の振幅と相対位相とを決定する工程と、
をさらに備える、請求項１に記載の方法。
【請求項１０】
前記少なくとも１つの送信機は少なくとも１つのコイルであり、工程（ｃ）は、
（Ｃ１）前記送信機を通過した前記電気エネルギーによって誘導される前記導電性媒体内の周囲の電気エネルギーに所望の波形を生成するように前記選択波形を選択する工程を備え、
（ｃ）その後、誘導された分極効果を決定するために、前記選択波形と前記生成された波形との差を分析する工程をさらに備える、請求項１に記載の方法。
【請求項１１】
前記少なくとも１つの送信機は少なくとも１つのコイルであり、前記少なくとも１つの送信機を電気エネルギーが通過することに応答して、第１および第２の測定信号の少なくとも１つが第１および第２のセンサの少なくとも１つによって受信され、前記第１の信号は前記導電性媒体に関連した周囲の電気パラメータを測定し、前記第２の信号は前記導電性媒体に関連した周囲の磁気パラメータを測定し、
（ｅ）前記少なくとも１つの送信機を通過した前記電気エネルギーに対する（ｉ）実部および虚部の周波数領域応答ならびに（ｉｉ）時間領域応答の少なくとも１つを出力すべく、前記第１および第２の信号の少なくとも１つを処理する工程をさらに備える、
請求項１に記載の方法。
【請求項１２】
前記送信機は水平軸を有する電気双極子励起器である、請求項１に記載の方法。
【請求項１３】
システムであって、
（ａ）水平に方向付けられた軸を有する少なくとも１つの送信機と、
（ｂ）前記少なくとも１つの送信機を囲む導電性媒体に関連した周囲の電気パラメータおよび磁気パラメータの少なくとも１つを測定するために、前記少なくとも１つの送信機の下方に配置される少なくとも１つのセンサと、
（ｃ）選択波形を有する電気エネルギーを前記少なくとも１つの送信機に通過させることができる電源と
を備え、前記少なくとも１つの送信機に電気エネルギーを通過させる間に、前記少なくとも１つのセンサは前記測定された周囲の電気パラメータおよび磁気パラメータの少なくとも１つに比例する信号を受信する、地球物理学的システム。
【請求項１４】
前記少なくとも１つの送信機は少なくとも１つのコイルであり、
（ｄ）前記少なくとも１つのセンサから測定信号を受信するための第１の入力と、
（ｅ）第２のセンサから基準信号を受信するための第２の入力であって、前記基準信号が前記少なくとも１つの送信機を通過する前記電気エネルギーの大きさおよび位相を示す、第２の入力と、
（ｆ）前記電気エネルギーの周波数における前記測定信号の大きさと前記測定信号の位相とを決定することができるプロセッサと、
をさらに備える、請求項１３に記載のシステム。
【請求項１５】
前記少なくとも１つの送信機は少なくとも１つのコイルであり、
（ｄ）前記少なくとも１つのセンサから測定信号を受信することができる第１の入力と、
（ｅ）第２のセンサから基準信号を受信することができる第２の入力であって、前記基準信号が前記少なくとも１つの送信機を通過する前記電気エネルギーの大きさおよび位相を示す、第２の入力と、
（ｆ）前記基準信号の正弦波成分と余弦波成分とを生成することができるシンセサイザと、
（ｇ）第１および第２の正弦波成分を有する第１の混合信号を提供するために前記正弦波成分を前記測定信号と混合することができる第１のミキサーであって、前記第１の正弦波成分が前記基準信号と前記測定信号の周波数の差に等しい周波数を有し、前記第２の正弦波成分が前記基準信号と前記測定信号の周波数の和に等しい周波数を有する、第１のミキサーと、
（ｈ）前記第２の正弦波成分を除去することができる第１のフィルタと、
（ｉ）第１および第２の余弦波成分を有する第２の混合信号を提供するために前記余弦波成分を前記測定信号と混合することができる第２のミキサーであって、前記第１の余弦波成分が前記基準信号と前記測定信号との周波数の差に等しい周波数を有し、前記第２の余弦波成分が前記基準信号と前記測定信号との周波数の和に等しい周波数を有する、第２のミキサーと、
（ｊ）前記第２の余弦波成分を除去することができる第２のフィルタと、
（ｋ）第１の値は前記第１の正弦波成分の振幅と位相シフトの積であり、第２の値は前記第１の余弦波成分の振幅と前記位相シフトとの積である、前記第１の値および前記第２の値を決定することができ、さらに前記第１および第２の値に基づいて前記測定信号の振幅と相対位相とを決定することができるプロセッサと、
をさらに備える、請求項１３に記載のシステム。
【請求項１６】
前記少なくとも１つの送信機は少なくとも１つのコイルであり、第１および第２の測定信号の少なくとも１つは第１および第２のセンサの少なくとも１つによって受信され、前記第１の信号は前記導電性媒体に関連した周囲の電気パラメータを測定し、前記第２の信号は前記導電性媒体に関連した周囲の磁気パラメータを測定し、
（ｄ）前記少なくとも１つの送信機を通過した前記電気エネルギーに対する（ｉ）実部および虚部の周波数領域応答および（ｉｉ）時間領域応答の少なくとも１つを出力するために前記第１および第２の信号の少なくとも１つを処理することができるプロセッサを、
さらに備える、請求項１３に記載のシステム。
【請求項１７】
前記少なくとも１つの送信機は少なくとも１つのコイルであり、前記少なくとも１つのコイルは、同コイルの巻きが垂直に方向付けられ、かつ同コイルの磁気軸が水平に方向付けられた状態で配置され、前記少なくとも１つのコイルは水平な磁気双極子を提供し、前記少なくとも１つのコイルの主軸は水平に方向付けられ、前記少なくとも１つのコイルの前記巻きの平面は前記少なくとも１つのセンサによって画定される平面と同一平面上にある、請求項１３に記載のシステム。
【請求項１８】
前記少なくとも１つの送信機は少なくとも１つのコイルであり、前記測定された周囲の電気パラメータおよび磁気パラメータの少なくとも１つは周囲の電気パラメータであり、前記電気パラメータは前記少なくとも１つのコイルの前記巻きに平行な電圧である、請求項１３に記載のシステム。
【請求項１９】
前記測定された周囲の電気パラメータおよび磁気パラメータの少なくとも１つは周囲の磁気パラメータであり、前記磁気パラメータは磁場強度である、請求項１３に記載のシステム。
【請求項２０】
前記少なくとも１つの送信機は少なくとも１つのコイルであり、前記導電性媒体は海であり、前記少なくとも１つの送信機は前記海の底に近接して配置され、前記少なくとも１つのセンサは前記送信機と前記海の底との間に配置され、工程（ｃ）によって生成される励起場の少なくとも一部は前記海の底へ向かって下方に方向付けられる、請求項１３に記載のシステム。
【請求項２１】
前記少なくとも１つの送信機は少なくとも１つのコイルであり、前記少なくとも１つのコイルは一方が他方の上に配置される第１および第２のコイルを備え、前記少なくとも１つのセンサは前記第１および第２のコイルの双方の下方に配置され、前記第１および第２のコイルは異なる時間および異なる周波数の少なくとも１つにおいて前記電気エネルギーによって励起される、請求項１３に記載のシステム。
【請求項２２】
前記少なくとも１つの送信機は少なくとも１つのコイルであり、前記少なくとも１つの送信機および前記少なくとも１つのセンサは共通の潜水作業船に搭載され、前記少なくとも１つのセンサは少なくとも１つの前記導電性媒体に関連した周囲の電気パラメータを測定するための第１のセンサおよび前記導電性媒体の関連した周囲の磁気パラメータを測定するための第２のセンサのうち少なくとも１つを備える、請求項１３に記載のシステム。
【請求項２３】
前記少なくとも１つの送信機は少なくとも１つのコイルであり、前記少なくとも１つの送信機を電気エネルギーが通過することに応答して、第１および第２の測定信号の少なくとも１つが第１および第２のセンサの少なくとも１つによって受信され、前記第１の信号は前記導電性媒体に関連した周囲の電気パラメータを測定し、前記第２の信号は前記導電性媒体に関連した周囲の磁気パラメータを測定し、
（ｅ）前記少なくとも１つの送信機を通過した前記電気エネルギーに対する（ｉ）実部および虚部の周波数領域応答ならびに（ｉｉ）時間領域応答の少なくとも１つを出力すべく、前記第１および第２の信号の少なくとも１つを処理する工程をさらに備える、
請求項１３に記載のシステム。
【請求項２４】
前記送信機は水平軸を有する電気双極子励起器である、請求項１３に記載のシステム。
【請求項２５】
前記少なくとも１つの送信機は少なくとも１つのコイルであり、前記システムはプロセッサを備え、前記プロセッサは、前記送信機を通過した前記電気エネルギーによって誘導される前記導電性媒体内の周囲の電気エネルギー内に所望の波形を生成するように前記選択波形を選択した後、誘導された分極効果を決定するために前記選択波形と前記生成された波形との間の差を分析するように動作する、請求項１３に記載のシステム。
【手続補正２】
【補正対象書類名】明細書
【補正対象項目名】発明の名称
【補正方法】変更
【補正の内容】
【発明の名称】水中電場電磁探査システム及び方法